Podtech/llm-jp-corpus-v4-ja_patent huggingface dataset:
(57)【要約】      （修正有）【課題】気温の低い日本でも菌の発酵が止まらない保温式蚊取りボトルを提供する。【解決手段】蚊の誘引口１を設けた蓋２を備え、容器３を断熱材で作り、容器内でイースト菌発酵させることで発生する二酸化炭素で、蚊を誘引し捕殺することを特徴とするものである。【選択図】図１
2017225434.tif 000002
【特許請求の範囲】
【請求項１】
蚊の誘引口を設けた蓋を備え容器を断熱素材で作った、保温式蚊取り容器。
【請求項２】
蚊の誘引口を設けた蓋を備え容器の外側を断熱材で覆った、保温式蚊取り容器。
【請求項３】
蚊の誘引口を設けた蓋を備え容器の外側を二重構造にした、保温式蚊取り容器。
【請求項４】
容器下部に発熱体格納部を備えた、請求項１〜請求項３の保温式蚊取り容器。
【請求項５】
温度センサーを有する発熱装置を備えた、請求項４の保温式蚊取り容器。
【発明の詳細な説明】
【技術分野】
【０００１】
本発明は、容器の中でイースト菌などの発酵で二酸化炭素を発生させ、容器に蚊を誘引して捕殺する保温式蚊取り容器に関するものである。
【背景技術】
【０００２】
フィリピンなど亜熱帯でペットボトルを加工した容器内にイースト菌を発酵させて蚊を誘引する蚊取りボトルが蚊の駆除に非常に効力を発揮しているのだが、気温の低い日本では発酵が止まってしまうため、あまり役に立たなかった。
【発明の概要】
【発明が解決しようとする課題】
【０００３】
本発明は、気温の低い日本でも菌の発酵が止まらない保温式蚊取りボトルに関するものである。
【課題を解決するための手段】
【０００４】
上記目的を達成するために、本発明において請求項１に係るものは、蚊の誘引口を設けた蓋を備え、容器を断熱材で作ることで保温できるようにしたものである。
【０００５】
請求項２に係るものは、蚊の誘引口を設けた蓋を備え、容器の外側を断熱材で覆い保温できるようにしたものである。
【０００６】
請求項３に係るものは、蚊の誘引口を設けた蓋を備え、容器の外側を二重構造にして保温できるようにしたものである。
【０００７】
請求項４に係るものは、容器下部に発熱体格納部を備えたものである。発熱体格納部に使い捨てカイロや電熱器具を入れることにより、気温が低い季節でもイースト菌などの発酵を促すことができる。
【０００８】
請求項５に係るものは、温度センサーにより発熱装置の発熱をコントロールすることによりイースト菌などの発酵温度を最適に保つことができるようにしたものである。
【図面の簡単な説明】
【０００９】
【図１】発明を実施するための形態を示す断面図である。
【図２】発明を実施するための形態を示す分解した斜視図である。
【図３】発明を実施するための形態を示す蓋の下面斜視図である。
【図４】実施例１を示す断面図である。
【図５】実施例２を示す断面図である。
【図６】実施例２を示す分解した斜視図である。
【発明を実施するための形態】
【００１０】
本発明を実施するための形態を図１〜３に基づいて説明する。蓋と容器を断熱素材で作ることにより、容器内のイースト菌の発酵が外気温の影響を受けにくくしたものである。図１は断面図であり、図２は蓋と容器を分解した斜視図である。図３は蓋の下面の斜視図である。蚊の誘引口（１）を容器内部方向に出っ張らせているのは、容器内に入った蚊を外に逃がさないようにするためである。
【実施例】
【００１１】
実施例１を図４を基に説明する。イースト菌などを発酵させるための内容器（４）を断熱容器（３）と断熱蓋（２）で覆った方式の断面図である。断熱容器（３）下部に段差を設け、内容器（４）が底まで入らない構造にして、発熱体格納部（７）の空間を確保しており、その中に使い捨てカイロなどの発熱体を入れることで、気温の低い時でも発酵に必要な温度を保てるようにする。また断熱容器（３）底に空気穴（５）及び足（６）を設け、使い捨てカイロに必要な酸素を確保できるようにする。蚊の誘引口（１）を容器内部方向に出っ張らせているのは、容器内に入った蚊を外に逃がさないようにするためである。
【００１２】
実施例２を図５および図６を基に説明する。図５は内容器（４）と内蓋（１０）を、外容器（９）と外蓋（８）に格納した方式の断面図である。内容器（４）と外容器（９）および内蓋（１０）と外蓋（８）間には隙間を作り空気で断熱する構造である。内蓋（１０）と外蓋（８）には蚊の誘引口（１）を設け容器内部方向に出っ張らせる。外容器（９）下部には発熱体格納部（７）を設け、底蓋（１２）を外して発熱装置（１１）を格納できるようにする。また発熱装置に温度センサーを付けておくと、イースト菌などの発酵に適した一定の温度を保つことができる。発熱装置はバッテリーやコンセントから電気の供給を受けるようにするとよい。図６は実施例２を分解した斜視図である。
【符号の説明】
【００１３】
１  蚊の誘引口
２  断熱蓋
３  断熱容器
４  内容器
５  空気穴
６  足
７  発熱体格納部
８  外蓋
９  外容器
１０  内蓋
１１  発熱装置
１２  底蓋  
【図１】
2017225434.tif 000003
【図２】
2017225434.tif 000004
【図３】
2017225434.tif 000005
【図４】
2017225434.tif 000006
【図５】
2017225434.tif 000007
【図６】
2017225434.tif 000008
(57)【要約】【課題】本発明は、ロゼット及び胸章において、飾り部を取り外し可能にした取り換え可能なロゼット及び胸章を提供する。【解決手段】ロゼット及び胸章において、ロゼット及び胸章本体（１）の中央に、中心部（２）を設け、中心部（２）に係止具（３）を設け、飾り部（５）の裏面に係止具（４）を設け、飾り部（５）を係止具（３）と係止具（４）で固定する、取り換え可能ロゼット及び胸章。【選択図】図１
2017225788.tif 000002
【特許請求の範囲】
【請求項１】
ロゼット及び胸章において、ロゼット及び胸章本体（１）の中央に、中心部（２）を設け、中心部（２）に係止具（３）を設け、飾り部（５）の裏面に係止具（４）を設け、飾り部（５）を係止具（３）と係止具（４）で固定する、取り換え可能ロゼット及び胸章。
【発明の詳細な説明】
【技術分野】
【０００１】本発明は、ロゼット及び胸章において、飾り部を取り外し可能にした取り換え可能なロゼット及び胸章に関するものである。
【背景技術】
【０００２】従来、ロゼット及び胸章にある飾り部分は、固定されたものであった。
【先行技術文献】
【特許文献】
【０００３】
【特許文献１】
【発明の概要】
【発明が解決しようとする課題】
【０００４】  これは次のような欠点があった。
従来、ロゼット及び胸章にある飾り部は固定されているものであった。
（イ）飾り部が固定されているため、そのデザインに飽きが生じたり、飾りのデザインがＴＰＯに合わない場合、使用することができなくなってしまう。
（ロ）パーティーや式典で配布されるロゼット及び胸章において、飾り部には氏名や名称やメッセージが入っており、そのロゼット及び胸章を記念品として持ち帰っても、使用できなくなってしまうことが多い。
そのようなときに、飾り部が取り外し可能であり、デザインを取り換え可能にしておけば利用範囲が広がり好都合である。
本発明は、以上のような欠点をなくすためになされたものである。
【課題を解決するための手段】
【０００５】ロゼット及び胸章において、ロゼット及び胸章本体（１）の中央に、中心部（２）を設け、中心部（２）に係止具（３）を設け、飾り部（５）の裏面に係止具（４）を設け、飾り部（５）を係止具（３）と係止具（４）で固定する。
本発明は、以上の構成によりなる、取り換え可能ロゼット及び胸章である。
【発明の効果】
【０００６】ロゼット及び胸章本体（１）の中央に、中心部（２）に飾り部（５）を係止具（３）と係止具（４）で固定できる。
ロゼット及び胸章本体の飾りが取り外し可能になっているので、デザインの異なる飾りを自由に選ぶことができる。
【図面の簡単な説明】
【０００７】
【図１】  本発明を分解した状態を示した分解斜視図である。
【図２】  本発明の飾り部の裏面の斜視図である。
【図３】  本発明のロゼット及び胸章に飾り部を付けた状態を示した正面図である。
【発明を実施するための形態】
【０００８】以下、本発明を実施するための形態について説明する。
ロゼット及び胸章本体（１）の中央に中心部（２）を設け、中心部（２）に係止具（３）を設ける。飾り部（５）に係止具（４）を設ける。
ロゼット及び胸章本体（１）と飾り部（５）を、係止具（３）と係止具（４）で固定する。
係止具（３）と係止具（４）は、スナップボタンを使っても良い。
本発明は以上のような構造である。
この構造を使用することにより、ロゼット及び胸章本体（１）から飾り部（５）が取り外し可能になり、デザインの異なる飾りに付け替えることができる。
【符号の説明】
【０００９】１  ロゼット及び胸章の本体
２  中心部
３  係止具
４  係止具
５  飾り部
【図１】
2017225788.tif 000003
【図２】
2017225788.tif 000004
【図３】
2017225788.tif 000005
(57)【要約】【課題】鍋底の改善による鍋加熱効率の向上。【解決手段】鍋底に窪みを設け、鍋底受熱面積を広くし、したがって、鍋加熱効率の向上を図る。【選択図】図１
2017225787.tif 000002
【特許請求の範囲】
【請求項１】
本発明は、鍋および湯沸かしの底部に窪みを設け、鍋および湯沸の底部を２段底形体とする件に関する。
【発明の詳細な説明】
【技術分野】
【０００１】    本発明の技術分野は、鍋および湯沸かしに関する。このさい、発明の名称、２段底鍋は、２段底湯沸かし、および、鍋および湯沸かし多段底形体を代表して示す。以後、鍋、および、湯沸かしの代称として、鍋  として示し記し、２段底、多段底の代称として、２段底として示し記す。
【背景技術】
【０００２】  従来、鍋底は、おおむね扁平状、または、円弧状、それに、底部の強度を増すために凹凸状となし、窪み状形態のものはなかった。
【発明の概要】
【発明が解決しようとする課題】
【０００３】  鍋による煮炊きの効率化、および、煮炊き時間の短縮を主な解決課題とし、鍋底強度の増加を図る。
【課題を解決するための手段】
【０００４】  本件は、鍋底に窪みを設けることにより、鍋底受熱面積を広くする。その一例、直径１８ｃｍの扁平底鍋底面積、１８×１８×０．７８５＝２５４．３４ｃｍ２。２段底鍋の窪み深さ、すんわち、扁平底から窪み底間の段差、２．５ｃｍ、窪み直径、１０ｃｍのとき、１０×３．１４×２．５＝７８．５ｃｍ２。２段底鍋底面積は２５４．３４＋７８．５＝３３２．８４ｃｍ２。したがって、両者の面積比。扁平底鍋２５４．３４ｃｍ２。対  ２段底鍋３３２．８４ｃｍ２。扁平底鍋１対  ２段底鍋１．３０８。すなわち、扁平底鍋受熱量に比し２段底鍋受熱量は３０．８パーセント多くなり、本、一例の計算上において、鍋内の煮炊き物、煮炊き時間を約３０パーセント短縮できる。
さらに、ガスコンロを一例とする場合。コンロの円状炎輪に２段底鍋段差部を合わせ、熱伝を良好にすることができる。現今、通常一般家庭用ガスコンロの円状炎輪の直径は、およそ１０ｃｍである。なお、ＩＨ加熱に２段底鍋を用いることができる。また、２段底鍋方式を他の加熱容器に応用が可能である。
【発明の効果】
【０００５】  本発明による効果は、主に、煮炊き煮沸時間短縮である。くわえて、鍋底強度の増強である。
【図面の簡単な説明】
【０００６】
【図１】２段底鍋のガスコンロ加熱の一例図である。
【図２】２段底鍋の静置状態の一例図である。
【発明実施するための最良の形態】
【０００７】  以下、本件の実施の形態を図１から図２に示して説明する。図１において、１は、２段底鍋本体、２は、窪み部、３は、窪み部深さ、鍋底扁平部と窪み部底との段差、４は、コンロ下部、５は、コンロ炎である。
図２において、１は、２段底鍋本体、６は、静置用鍋敷き、比較的気密性あり、断熱性ある敷物である。
【産業上の利用可能性】
【０００８】  一般家庭での利用の他、レストラン、飲食店、外食産業での利用が大いに期待される。
【符号の説明】
【０００９】１  ２段底鍋本体
２  窪み部
３  窪み部深さ、鍋底扁平部と窪み部底との段差
４  コンロ下部
５  コンロ炎
６  静置用鍋敷き  断熱性鍋敷き
【図１】
2017225787.tif 000003
【図２】
2017225787.tif 000004
(57)【要約】【課題】本を垂直に立てた状態を保つ事が簡単に出来る従来のものと違う本立てに関する。【方法】本を両側から押さえるための２つの支持具に設けた穴に細長い丸棒を通し当該丸棒を水平になるようにその両端を固定して２つの支持具を丸棒上を滑動させて水平に左右に移動出来るようにした本立て【選択図】図４
2017225797.tif 000002
【特許請求の範囲】
【請求項１】
本を両側面より押さえるための２つの支持具に設けた穴に細長い丸棒を通して当該丸棒を水平状態に保つようにその両端を２つの架台で固定して２つの支持具が当該丸棒上を滑動して左方向又は右方向に移動出来るようにした本立て。
【発明の詳細な説明】
【技術分野】
【０００１】  本発明は本立てに関する。
【背景技術】
【０００２】  従来の本立ては図１に示されるように前面が開口部となっている箱形のもの或いは図２に示されるように薄い板を直角に折り曲げた形状の２個の支持具４と２個のおもり３から構成されている。【０００３】  図１においては前面の開口部より本２を入れて置く。図２においては本２を２個の支持具４の間に立てて置き本２の両側面を２個の支持具４の垂直部でおさえ２個の支持具４のそれぞれの水平部の上におもり３を置く。
【発明が解決しようとする課題】
【０００４】従来の箱形の本立てにおいては図１に示されるように本２をいっぱいに置けば本２は垂直に立つがいっぱいでないと本と本の間に隙間が隙間が出来て本が傾くと云う問題があり。又、２個の支持具と２個のおもりから成る従来の本立てにおいては図２に示されるように本２が傾かないようにするためには本２を出し入れする毎におもり３を持ち上げて支持具４を移動させて本と本の間に隙間がないように本と本を密着させて本の左右の側面を支持具４の垂直部でおさえておもり３を支持具４の水平部の上に置く動作をしなければならず面倒である。
【０００５】  本発明はおもりを必要とせず範単な動作で本が傾かないように垂直に立つようにすること及び箱形の本立てを不要にすることを目的とする
【課題を解決するための手段】
【０００６】  細長い丸棒を本を両側面から押さえる２つの支持具に設けた内径が当該丸棒の外径よりわずかに大きい穴に貫通させて当該丸棒を水平状態を保つようにその両端を架台に固定する。
【発明の効果】
【０００７】  支持具を左方向又は右方向へ押すと支持具は丸棒上を滑動して水平に左方向又は右方向へ移動する。
２つの支持具の間に本を置き左側の支持具を右方向へ右側の支持具を左方向へ移動させて本の両側面を２つの支持具で左右から押さえると本は垂直に立った状態で倒れないようになる。
【図面の簡単な説明】
【０００８】
【図１】従来の箱形の本立ての正面図
【図２】従来の本立ての正面図以下は本発明の実施形態を示す【図３】平面図
【図４】正面図
【図５】側面図
【図６】図３のＡ−Ａ断面図の拡大図
【図７】動作を示す正面図
【発明を実施する形態】
【０００９】  以下本発明の実施の形態を図３〜図７に基づいて説明する。
【００１０】  本発明は１本の剛性の材質の細長い丸棒６と２個の架台５と２個の剛性の材質の支持具７から構成される。支持具の形状は様々なものが可能であるが本図においては棒状でＬの形として２個の支持具は寸法と形は同一として横方向の部分を水平部、縦方向の部分を垂直部と称することにして水平部の先端部に水平部に対して直角方向で且つ垂直部に対して直角方向に内径が当該丸棒の外径よりわずかに大きい穴をあける。
【００１１】  ２個の支持具の穴に当該丸棒を貫通させて垂直部を上側にして当該丸棒を水平状態に保つようにその両端を２個の架台で固定する。
【００１２】  使用する場合２つの支持具の垂直部を上側にした状態で架台を平面上に置いて必要に応じて支持具を左方向へ又は右方向へ移動させる。支持具を移動させる場合当該支持具の丸棒に近い部分を少し持ち上げて左方向へ又は右方向へ押すと当該支持具は丸棒上を滑動して左方向へ又は右方向へ移動する。
【００１３】  本を図７（ａ）のように２個の支持具の間に置いて図７（ｂ）のように左側の支持具を右方向へ右側の支持具を左方向へ移動させて図７（ｃ）のように本を両側より押さえると本の垂直に立った状態が維持される。
本が倒れようとすると図６に示されるように本が支
2017225797.tif 000003
動かないので本は倒れない。本図では本が左側へ倒れる場合であるが本が右側へ倒れる場合も同じである。
【００１４】  箱形の本立てに使用する場合丸棒の長さを箱の内部の幅より短かくするか或いは丸棒を箱の前面の開口部の外側に支持具を箱の内部に置くことにより対応出来る。
【符号の説明】
【００１５】１．従来の箱形の本立て
２．本
３．従来の本立てのおもり
４．従来の本立ての支持具
５  本発明の本立てにおける架台
６  本発明の本立てにおける丸棒
７．本発明の本立てにおける支持具
【図１】
2017225797.tif 000004
【図２】
2017225797.tif 000005
【図３】
2017225797.tif 000006
【図４】
2017225797.tif 000007
【図５】
2017225797.tif 000008
【図６】
2017225797.tif 000009
【図７】
2017225797.tif 000010
(57)【要約】【課題】  風呂場で体を洗うために使用した石鹸を含ませたタオルやスポンジを湯おけを使用し石鹸分を洗い流す際、湯おけにお湯を溜め、何回も濯ぎ洗いを繰り返しており、大量のお湯と時間を費やしていた。  本発明は、体を洗った後のタオルに含んだ石鹸分を、少量のお湯と時間で洗い落とし、湯おけ表面に石鹸カスの付着しない湯おけを提供する。【解決手段】  湯おけ全体を底まで傾斜のついたすり鉢形状にし、底部の中心部に円形の底穴を設け、底穴の外周部に沿って円形の底蓋固定用溝を設け、底に台座を設け、台座に開口部を設け、底蓋固定溝に底蓋を差し入れできることを特徴とする湯おけ。【選択図】図１
2017225793.tif 000002
【特許請求の範囲】
【請求項１】
湯おけ全体を底まで傾斜のついたすり鉢形状にし、底部の中心に円形の底穴を設け、底穴の外周部に沿って円形の底蓋固定用溝を設け、底蓋固定用溝に底蓋を差し入れられる省エネ湯おけ。
【発明の詳細な説明】
【技術分野】
【０００１】  本発明は、風呂場でタオルの濯ぎに使用する湯おけに関するものである。
【背景技術】
【０００２】  従来、風呂場で使用する湯おけは、湯を溜めやすくするため、底が平坦で、台座も低い構造ととなっている。
【先行技術文献】
【特許文献】
【０００３】
【特許文献１】  特開平０７−１１７１４５号公報
【発明の概要】
【発明が解決しようとする課題】
【０００４】  風呂場で体を洗うために使用した石鹸を含ませたタオルやスポンジを湯おけを使用し洗い落す際、湯おけにお湯を溜め、何回も濯ぎ洗いを繰り返しており、大量のお湯と時間を費やしていた。又、湯おけ表面にも石鹸カスが付着し、タオル同様濯ぎ洗いをしなければならなかった。
本発明は、以上の問題点を解決するためになされたものである。
【課題を解決するための手段】
【０００５】  湯おけ全体を底まで傾斜のついたすり鉢形状にし、底部の中心に円形の底穴を設け、底に台座を設け、台座に開口部を設ける。底穴の外周部に沿って円形の底蓋固定溝を設け、底蓋を差し入れ、閉口できる様にする。
以上の構成よりなる省エネ湯おけ。
【発明の効果】
【０００６】  従来、タオルやスポンジに含んだ石鹸カスを洗い落とすため、大量のお湯と時間を費やしていたが、本発明によって少量のお湯と時間で洗い落とせる。又、湯おけも石鹸カスで汚れず清潔である。
【図面の簡単な説明】
【０００７】
【図１】  本発明の斜視図
【図２】  本発明の断面図
【本発明を実施するための形態】
【０００８】  以下、本発明の実施の形態を説明する。
（イ）湯おけ本体（１）を底まで傾斜のついたすり鉢形状にし、底部の中心に円形の底穴（２）を設け、底穴（２）の外周部に沿って円形の底蓋固定溝（３）を設ける。
（ロ）湯おけ本体（１）の底に湯おけ本体（１）を高位置に固定させるため、円形の台座（４）を設ける。
（ハ）台座（４）にお湯の通り道となる複数の開口部（５）を設ける
（ニ）底穴（２）を塞ぐため、円形の底蓋固定用溝（３）に入る円形の底蓋（６）を設ける。
本発明は、以上のような構造である、
本発明を使用するときは、底蓋（６）を外し、底穴（２）を開口状態にしておく。湯おけに石鹸を含んだタオルを入れ、上から蛇口でお湯を流し入れる。湯おけ本体（１）は底まで傾斜のついたすり鉢形状のため、タオルから流れ落ちた石鹸カスを含んだお湯が、湯おけ本体（１）の中心部に勢いよく集まり、底穴（２）を通り効率よく排出され、タオルの濯ぎは短時間で終わる。又、湯おけに、濯いだお湯が溜まることがないため、湯おけ表面に石鹸カスが付着しない。
底穴（２）より排出された石鹸カスを含んだお湯は、台座（４）の台座開口部（５）を通り排水される。
タオル等の濯ぎ洗いを行わない時は、底蓋（６）を底蓋固定用溝（３）に差し入れ、底穴（２）を閉じ、通常の湯おけとして使用する。
【符号の説明】
【０００９】      １  湯おけ本体、２  底穴、３  底蓋固定用溝、４  台座、
５  台座開口部、６  底蓋
【図１】
2017225793.tif 000003
【図２】
2017225793.tif 000004
(57)【要約】      （修正有）【課題】高圧の受変電設備に適用される遮断機（ＣＢ）と、同過電流継電器（ＯＣＲ）のルーチン化された連動試験を、十数回程度に限り実施可能な電源装置であって、軽量で静音に連動試験ができる電源装置を提供する。【解決手段】適切な容量の逆変換装置（インバータ）と、遮断機（ＣＢ）と過電流継電器（ＯＣＲ）のルーチン化された連動試験を、十数回程度に限り実施可能な２次電池（バッテリー）の２つ、もしくは適切な容量の逆変換装置（インバータ）と、遮断機（ＣＢ）と過電流継電器（ＯＣＲ）のルーチン化された連動試験を、十数回程度に限り実施可能な２次電池（バッテリー）と、２次電池（バッテリー）に適した充電器（チャージャー）の３つで電源装置を構成する。【選択図】なし【特許請求の範囲】
【請求項１】
高圧の受変電設備に適用される遮断機（ＣＢ）と同過電流継電器（ＯＣＲ）のルーチン化された連動試験を、十数回程度に限り実施可能な、
１）  逆変換装置（インバータ）と
２）  ２次電池（バッテリー）の
２つの組合せで構成される、電源容量を適切に考慮した軽量・静音な電源装置。
【請求項２】
高圧の受変電設備に適用される遮断機（ＣＢ）と同過電流継電器（ＯＣＲ）のルーチン化された連動試験を、十数回程度に限り実施可能な、
１）  逆変換装置（インバータ）と
２）  ２次電池（バッテリー）と
３）  充電器（チャージャー）の
３つの組合せで構成される、電源容量を適切に考慮した軽量・静音な電源装置。
【発明の詳細な説明】
【技術分野】
【０００１】本発明は、
高圧の受変電設備に適用される遮断機（ＣＢ）と同過電流継電器（ＯＣＲ）のルーチン化された連動試験を、十数回程度に限り実施可能な、電源容量を適切に考慮した軽量・静音な電源装置に関する。
【背景技術】
【０００２】現在、多くの場合、電源装置として主に９００ＶＡや１６００ＶＡの汎用の発電機が、稀に２５００ＶＡの汎用の発電機が使用されているが、「燃料と原動機と発電機」を合わせた重量はそれぞれ、１４ｋｇ程度と２３ｋｇ程度と３４ｋｇ程度で重量であり、作業者の作業中の大きな負担になっている。【０００３】また、原動機の騒音も大きく、作業者の作業中の会話の妨げになったり、夜中の民家近くでの使用に際し度々、問題になったりしていた。【０００４】ＰＣ用のＵＰＳを使用する事も考えられるが、この場合、順変換装置（コンバータ）や逆変換装置（インバータ）と、２次電池（バッテリー）の容量のバランスが悪く、９００ＶＡや１６００ＶＡや２５００ＶＡの汎用の発電機よりも大きく重くなってしまう。【０００５】高圧の受変電設備に適用される遮断機（ＣＢ）と、過電流継電器（ＯＣＲ）のルーチン化された連動試験を、十数回程度に限り実施可能な電源装置が、今日でも存在しない。
【発明の概要】
【０００６】高圧の受変電設備に適用される遮断機（ＣＢ）と、同過電流継電器（ＯＣＲ）のルーチン化された連動試験を、十数回程度に減らす事により、適切に軽量・静音にできる電源装置。
【発明が解決しようとする課題】
【０００７】現在、多くの場合、電源装置として主に９００ＶＡや１６００ＶＡの汎用の発電機が、稀に２５００ＶＡの汎用の発電機が使用されているが、「燃料と原動機と発電機」を合わせた重量はそれぞれ、１４ｋｇ程度と２３ｋｇ程度と３４ｋｇ程度で重量であり、作業者の作業中の大きな負担になっている。【０００８】また、原動機の騒音も大きく、作業者の作業中の会話の妨げになったり、夜中の民家近くでの使用に際し度々、問題になったりしていた。【０００９】ＰＣ用のＵＰＳを使用する事も考えられるが、この場合、順変換装置（コンバータ）や逆変換装置（インバータ）と、２次電池（バッテリー）の容量のバランスが悪く、９００ＶＡや１６００ＶＡや２５００ＶＡの汎用の発電機よりも大きく重くなってしまう。【００１０】高圧の受変電設備に適用される遮断機（ＣＢ）と、過電流継電器（ＯＣＲ）のルーチン化された連動試験を、十数回程度に限り実施可能な電源装置が、今日でも存在しない。
【課題を解決するための手段】
【００１１】１）  適切な容量の逆変換装置（インバータ）と、
２）  遮断機（ＣＢ）と過電流継電器（ＯＣＲ）のルーチン化された連動試験を、十数回程度に限り実施可能な２次電池（バッテリー）の２つで構成される。【００１２】１）  適切な容量の逆変換装置（インバータ）と、
２）  遮断機（ＣＢ）と過電流継電器（ＯＣＲ）のルーチン化された連動試験を、十数回程度に限り実施可能な２次電池（バッテリー）と、
３）  ２次電池（バッテリー）に適した充電器（チャージャー）の３つで構成される。
【発明の効果】
【００１３】現在、多くの場合、電源装置として主に９００ＶＡや１６００ＶＡの汎用の発電機が、稀に２５００ＶＡの汎用の発電機が使用されているが、「燃料と原動機と発電機」を合わせた重量はそれぞれ、１４ｋｇ程度と２３ｋｇ程度と３４ｋｇ程度で重量であり、作業者の作業中の大きな負担になっている。
本発明により従来品より大幅に軽量化でき、作業者の作業中の負担を大きく低減できる。【００１４】また、原動機の騒音も大きく、作業者の作業中の会話の妨げになったり、夜中の民家近くでの使用に際し度々、問題になったりしていた。
本発明により騒音の問題も解決できる。
【実施例】
【００１５】２５００ＶＡの汎用の発電機に相当する電源装置として、３０００Ｗクラスの逆変換装置（インバータ）と、リチウムイオン２次電池（バッテリー）の組合せにより、ルーチン化された、
１）  限時の最小動作試験に相当する５Ａを、４秒間流す。
２）  １５Ａを１０秒間流し、Ｒ相のＣＢをトリップさせる試験をする。
３）  １５Ａを１０秒間流し、Ｔ相のＣＢをトリップさせる試験をする。
４）  ２５Ａを３．２秒間流し、Ｒ相のＣＢをトリップさせる試験をする。
５）  ２５Ａを３．２秒間流し、Ｔ相のＣＢをトリップさせる試験をする。
６）  ３５Ａを１．６秒間流し、Ｒ相のＣＢをトリップさせる試験をする。
７）  ３５Ａを１．６秒間流し、Ｔ相のＣＢをトリップさせる試験をする。
８）  瞬時の最小動作試験に相当する４０Ａを、４秒間流す。
９）  ４０Ａを０．１秒間流し、Ｒ相のＣＢをトリップさせる試験をする。
１０）４０Ａを０．１秒間流し、Ｔ相のＣＢをトリップさせる試験をする。
の１）から１０）の作業を、少なくとも１０回実施可能。また重量は２５００ＶＡの汎用の発電機の半分程度である。【００１６】１６００ＶＡの汎用の発電機に相当する電源装置として、２０００Ｗクラスの逆変換装置（インバータ）と、リチウムイオン２次電池（バッテリー）の組合せにより、ルーチン化された、上記の［００１５］の１）から１０）の作業を、少なくとも１０回実施可能。また重量は１６００ＶＡの汎用の発電機の半分程度である。【００１７】９００ＶＡの汎用の発電機に相当する電源装置として、１５００Ｗクラスの逆変換装置（インバータ）と、リチウムイオン２次電池（バッテリー）の組合せにより、ルーチン化された、上記の［００１５］の１）から１０）に相当する作業を、少なくとも１０回実施可能。また重量は９００ＶＡの汎用の発電機の半分程度である。
(57)【要約】【課題】温度センサやＮＯｘセンサを用いることなく、オイルクーラファンの回転数を制御することができるオイルクーラファンの制御方法を提供する。【解決手段】エンジン１１がアイドリング回転数で運転している信号を、前記エンジンを制御するエンジンコントロールユニット１２からオイルクーラファン制御装置１４が受信した際には、該オイルクーラファン制御装置によってオイルクーラファン１６の回転数を低速に制御し、前記エンジンがアイドリング回転数以上で運転している信号を前記オイルクーラファン制御装置が受信した際には、該オイルクーラファン制御装置によって前記オイルクーラファンの回転数を高速に制御する。【選択図】  図１
2017100535.tif 000002
【特許請求の範囲】
【請求項１】
建設機械のエンジンがアイドリング回転数で運転している信号を、前記エンジンを制御するエンジンコントロールユニットからオイルクーラファン制御装置が受信した際には、該オイルクーラファン制御装置によってオイルクーラファンの回転数を低速に制御し、前記エンジンがアイドリング回転数以上で運転している信号を前記オイルクーラファン制御装置が受信した際には、該オイルクーラファン制御装置によって前記オイルクーラファンの回転数を高速に制御することを特徴とするオイルクーラファンの制御方法。
【発明の詳細な説明】
【技術分野】
【０００１】
本発明は、作動油を冷却するオイルクーラに冷却風を供給するオイルクーラファンの制御方法に関する。
【背景技術】
【０００２】
従来、杭打機や地盤改良機等の建設機械では、作動油を冷却するオイルクーラが設けられるとともに、オイルクーラに冷却風を供給するオイルクーラファンが設けられており、作動油を効率よく冷却するために、オイルクーラファンの回転数を、オイルクーラの二次側の温度や排ガス中のＮＯｘの量に応じて制御するものがあった（例えば、特許文献１参照。）。
【先行技術文献】
【特許文献】
【０００３】
【特許文献１】特開２００７−３０３２８３号公報
【発明の概要】
【発明が解決しようとする課題】
【０００４】
しかし、上述の特許文献１のものでは、温度センサやＮＯｘセンサを設けなくてはならないことから、構造が複雑になるとともにコストが嵩んでいた。
【０００５】
そこで本発明は、温度センサやＮＯｘセンサを用いることなく、オイルクーラファンの回転数を制御することができるオイルクーラファンの制御方法を提供することを目的としている。
【課題を解決するための手段】
【０００６】
上記目的を達成するため、本発明のオイルクーラファンの制御方法は、建設機械のエンジンがアイドリング回転数で運転している信号を、前記エンジンを制御するエンジンコントロールユニットからオイルクーラファン制御装置が受信した際には、該オイルクーラファン制御装置によってオイルクーラファンの回転数を低速に制御し、前記エンジンがアイドリング回転数以上で運転している信号を前記オイルクーラファン制御装置が受信した際には、該オイルクーラファン制御装置によって前記オイルクーラファンの回転数を高速に制御することを特徴としている。
【発明の効果】
【０００７】
本発明のオイルクーラファンの制御方法によれば、エンジンの回転数に応じてオイルクーラファンの回転数を制御することにより、オイルクーラの二次側の温度や排ガス中のＮＯｘの量を検出する必要がないことから、簡易な構造でオイルクーラファンの回転数を制御することができ、コストの低減化を図ることができる。
【図面の簡単な説明】
【０００８】
【図１】本発明の一形態例を示すオイルクーラファン制御部の説明図である。
【発明を実施するための形態】
【０００９】
図１は、杭打機や地盤改良機等の建設機械に本発明を適用したオイルクーラファン制御部の説明図で、建設機械のエンジン１１の動作を制御するエンジンコントロールユニット（ＥＣＵ）１２は、ＣＡＮ通信（Ｃｏｎｔｒｏｌｌｅｒ  Ａｒｅａ  Ｎｅｔｗｏｒｋ）１３を介して、オイルクーラファン制御装置１４に接続されている。
【００１０】
オイルクーラファン制御装置１４は、エンジンコントロールユニット１２からエンジン１１がアイドリング回転数（毎分８００〜９００回転）で運転している信号を受信した際には、バッテリー１７からオイルクーラファン制御装置１４に入力された電力を低速回転用に変換して低速回転出力回路１５に給電し、オイルクーラファン１６を低速で回転させる。また、エンジンコントロールユニット１２からエンジン１１がアイドリング回転数以上（毎分９００回転以上）で運転している信号を受信した際には、最大回転出力回路１８に給電して電磁接触器１９をＯＮ状態とし、バッテリー１７からオイルクーラファン１６に直接給電する状態にしてオイルクーラファン１６を高速で回転させる。
【００１１】
また、オイルクーラファン制御装置１４は、全回転切替回路２０を備えており、外部スイッチ２１をＯＮ状態とすると、前記最大回転出力回路１８に給電され、電磁接触器１９がＯＮ状態となり、バッテリー１７から直接給電してオイルクーラファン１６を高速で回転させる。
【００１２】
本形態例は上述のように構成されることにより、従来のように、温度センサやＮＯｘセンサを用いることなく、エンジン１１の回転数に応じてオイルクーラファン１６の回転数を制御することができることから、コストの削減化を図りながら、作動油を良好に冷却させることができる。また、エンジン１１の回転数が低いときには、オイルクーラファン１６を自動的に低速とすることができることから、騒音の低減化を図ることができるとともに、バッテリーへの負担を低減して、バッテリーの寿命を長くすることができる。
【００１３】
なお、本発明は上述の形態例に限らず、建設機械の作業状態や作業環境に応じて、任意のエンジンの回転数で、オイルクーラファン制御装置を介して、低速回転出力回路と最大回転出力回路のいずれかに給電し、オイルクーラファンの回転数を制御することもできる。
【符号の説明】
【００１４】
１１…エンジン、１２…エンジンコントロールユニット、１３…ＣＡＮ通信、１４…オイルクーラファン制御装置、１５…低速回転出力回路、１６…オイルクーラファン、１７…バッテリー、１８…最大回転出力回路、１９…電磁接触器、２０…全回転切替回路、２１…外部スイッチ
【図１】
2017100535.tif 000003
(57)【要約】【課題】  本発明は、二輪車の停止するとき、地面の傾きに相応するようにスライド式にしてレバーで足の操作のみでスタンドの長さを調整し、安定させるために工夫した二輪車のスライド式スタンドを提供する。【解決の手段】  スライド式スタンド（１）に本体を形成する外側パイプ（２）を設け、本体を形成する外側パイプ（２）に本体を形成する内側棒（３）を設け、本体を形成する内側棒（３）に操作レバー（４）を設け、操作レバー（４）を収納させるための凹部（５）と、（４）を上下スライドさせるための溝（６）を設け、本体を形成する外側パイプ（２）の内側に押しコイルバネ（７）を設け、本体を形成する外側パイプ（２）の一端に二輪車に取付けるための穴（８）を設けたことを特徴とする二輪車のスライド式スタンド。【選択図】図１
2017100693.tif 000002
【特許請求の範囲】
【請求項１】
スライド式スタンド（１）に本体を形成する外側パイプ（２）を設け、本体を形成する外側パイプ（２）に本体を形成する内側棒（３）を設け、本体を形成する内側棒（３）に操作レバー（４）を設け、操作レバー（４）を収納させるための凹部（５）と、（４）を上下スライドさせるための溝（６）を設け、本体を形成する外側パイプ（２）の内側に押しコイルバネ（７）を設け、本体を形成する外側パイプ（２）の一端に二輪車に取付けるための穴（８）を設けたことを特徴とする二輪車のスライド式スタンド。
【発明の詳細な説明】
【技術分野】
【０００１】  本発明は、二輪車の停止するとき、地面の傾きに相応するようにスライド式にしてレバーで足の操作のみでスタンドの長さを調整し、安定させるために工夫した二輪車のスライド式スタンドに関するものである。
【背景技術】
【０００２】  二輪車側部に固定されたスタンドが地面の傾きに相応するよう足のみでスタンドの長さを調整し、駐輪時の安定を可能にしたものである。
【先行技術文献】
【特許文献】
【０００３】
【特許文献１】  特開２０１２−１２６３７７号公報
【発明の概要】
【発明が解決しようとする課題】
【０００４】  そのために次のような問題点があった。
従来の二輪車のスタンドは、長さが固定されている定位置駐車の状態に合わせて微調整するものであるため、駐輪時、その都度の変化に対応できにくく、不安定となることが多い。
スタンドの長さを足のみで簡単にスライドさせ、安定させるためのものである。
【課題を解決するための手段】
【０００５】  スライド式スタンド（１）に本体を形成する外側パイプ（２）を設け、本体を形成する外側パイプ（２）に本体を形成する内側棒（３）を設け、本体を形成する内側棒（３）に操作レバー（４）を設け、操作レバー（４）を収納させるための凹部（５）と、（４）を上下スライドさせるための溝（６）を設け、本体を形成する外側パイプ（２）の内側に押しコイルバネ（７）を設けたことを特徴とする二輪車のスライド式スタンド。
【発明の効果】
【０００６】  スタンドをスライド式にすることにより、スタンドの長さの調整ができ、地面の傾斜に対応させ、二輪車の駐車時に安定を可能にした。
【図面の簡単な説明】
【０００７】
【図１】  本発明の２輪車の後方から見た斜視図である。
【図２】  本発明のスライド式スタンドの詳細な説明図である。
【図３】  本発明のスライド式スタンドの外側パイプの説明図である。
【図４】  本発明のスライド式スタンドの内側棒であり、右方向（９）、左方向（１０）は、操作レバー（４）の左右方向の移動を示した説明図である。
【発明を実施するための形態】
【０００８】  以下、本発明の実施の形態について説明する。
スライド式スタンド（１）に本体を形成する外側パイプ（２）を設ける。
本体を形成する外側パイプ（２）に本体を形成する内側棒（３）を設ける。
本体を形成する内側棒（３）に操作レバー（４）を設ける。
操作レバー（４）を収納させるための凹部（５）と、（４）を上下スライドさせるための溝（６）を設ける。
本体を形成する外側パイプ（２）の内側に押しコイルバネ（７）を設ける。
本体を形成する外側パイプ（２）の一端に二輪車に取付けるための穴（８）を設ける。
以上のような二輪車のスライド式スタンドである。
スライド式スタンドが足裏の操作で、簡単に伸縮することのできる形態を説明する。
外側パイプ（２）において、図３に示すようにパイプの表面に凹部（５）と溝（６）を設ける。
内側棒（３）に固定した操作レバー（４）を足の裏により下に踏み込み、左方向（１０）に動かし、車体を左右いずれかに振り、求める長さまで外側パイプ（２）をスライドさせる。
このとき、右方向（９）に操作レバー（４）を移動させれば操作レバー（４）は凹部（５）に収納され長さは安定し、車体は安定する。
このとき、外側パイプ（２）の内部の押しコイルバネ（７）が内側棒（３）を下に押し、なおかつ捩って装着すれば、足を離したとき、操作レバー（４）は自動的に右方向（９）に移動し凹部（５）に収納される。
左方向（１０）に操作レバー（４）を移動させれば、（４）を上下スライドさせるための溝（６）に移動し、外側パイプ（２）の上下運動が可能となる。
なお、タイヤ（１２）は２輪車のタイヤを示し、サドル（１３）は、２輪車のサドルを示すものである。
以上のことにより、路面の傾斜に素早く対応し、二輪車の駐車時の安定を図ることができる。
【符号の説明】
【０００９】    １  スライド式スタンド
２  本体を形成する外側パイプ
３  本体を形成する内側棒
４  ３に固定した操作レバー
５  ４を収納させるための凹部
６  ４を上下スライドさせるための溝
７  押しコイルバネ
８  二輪車に取付けるための穴
９  ４が右方向移動を示す矢印
１０  ４が左方向溝部に移動を示す矢印
１１  ２が上下方向に移動を示す矢印
１２  タイヤ
１３  サドル
【図１】
2017100693.tif 000003
【図２】
2017100693.tif 000004
【図３】
2017100693.tif 000005
【図４】
2017100693.tif 000006
(57)【要約】      （修正有）【課題】雨が降っている時、乗用車で乗降に際し、ドアの開けるのと傘をさす作業の間に時間が空いてしまっても、雨に濡れてしまわないようなルーフを提供する。【解決手段】吸着具３により車の屋根４に取付けられた円錐型の筒１の中に、通常は板バネで巻き込まれており、一端がドア７の上縁に固定用吸着具６で固定された防水シート５を、ドアの開閉と同期してドアの上部に引き出されドーナツ状のルーフが形成される様にすることにより、雨がひどい時などで乗降時に濡れないようにした。【選択図】図２
2017100607.tif 000002
【特許請求の範囲】
【請求項１】
ドアの開閉と同期してドアの上部に防水シートが引き出されドーナツ状のルーフが形成され事を特徴とする雨濡れ防止ワンタッチルーフ。
【請求項２】
請求項１の機能を持つ雨濡れ防止ワンタッチルーフが４個の吸着具を使用し、車の屋根とドアにワンタッチで  装着出来る事を特徴とした雨濡れ防止ワンタッチルーフ。
【請求項３】
自分の車のみでなく、乗用車であれば下ごしらえなくワンタッチで装着出来る事を特徴とする雨濡れ防止ワンタッチルーフ。
【発明の詳細な説明】
【技術分野】
【０００１】
本発明は雨が降っている時、乗用車で乗降に際し、ドアの開けるのと傘をさす作業の間に時間が空いてしまう為、雨に濡れてしまう。
【背景技術】
【０００２】
雨降りに自動車で出かける場合、濡れるのは覚悟しているのが実態。中には特別な装置を付けてルーフをつくるとかしている場合もあるようであるが、殆んど見かける事はない。
【先行技術文献】
【特許文献】
【０００３】
【特許文献１】特開２００５−１１２３２１
【特許文献２】特開２００２−１５９３１１
【発明の概要】
【発明が解決しようとする課題】
【０００４】
乗用車で出かけ、雨がひどい時などで濡れないようにしたい。これをなんとかして解決したい。
【課題を解決するための手段】
【０００５】
本発明は、上記課題を解決するために、車に加工等をすることなく、ワンタッチで雨濡れ防止用のドアの開閉に  連動して、ルーフが車とドアの間に形作られる様にした。
【発明の効果】
【０００６】
本発明の雨濡れ防止ワンタッチルーフを使用する事により、雨の日のドライブが苦にならなくなる。
【図面の簡単な説明】
【０００７】
【図１】図１は本発明の雨濡れ防止ワンタッチルーフの断面図を示す。
【図２】図２は本発明の雨濡れ防止ワンタッチルーフを取り付けた状態の上面図を示す。
【図３】図３は本発明の雨濡れ防止ワンタッチルーフを取り付けた側面図を示す。
【図４】図４は本発明の雨濡れ防止ワンタッチルーフを車の屋根と開閉するドアに取り付けた使用例を示す。
【発明を実施するための形態】
【０００８】
本発明の実施形態を図１〜図４に基づいて説明する。  
【０００９】
図１は本発明の雨濡れ防止ワンタッチルーフの断面図でルーフを形成する防水シートが板バネで捲き込まれた円錐型の筒の中に巻き込んだ状態を示す。  
【００１０】
図２は本発明の雨濡れ防止ワンタッチルーフを取り付けた状態の上面図を示すもので、ドアを開ける事により防水シートがドーナツ状に引き出される状態を示す。  
【００１１】
図３は本発明の雨濡れ防止ワンタッチルーフを取り付けた側面図を示し、使用した時の全体のイメージを示す。
【００１２】
図４は本発明の雨濡れ防止ワンタッチルーフを車の屋根と開閉するドアに取り付けた全体図で使用例を示す。
【実施例１】
【００１３】
図２は本発明の防水シートが円錐型をした筒から、ドーナツ状に引き出される状態を示す。
【産業上の利用可能性】
【００１４】
乗用車で出かけ、雨がひどい時などで乗降時に濡れないように出来る。
【符号の説明】
【００１５】
１  防水シートが板バネに巻かれ、保持された円錐型の筒２  円錐筒の吸着具３  円錐筒固定用タブ４  車の屋根５  防水シート６  防水シート固定用吸着具７  車のドア
【図１】
2017100607.tif 000003
【図２】
2017100607.tif 000004
【図３】
2017100607.tif 000005
【図４】
2017100607.tif 000006
(57)【要約】【課題】厚さ高さの違いに対応でき、内容物を確実に保持でき、カバー端部の折り返しを繰り返さなくてすむカバーの作成を目的とする。【解決手段】カバー端部を脱着式とし、マジックテープでカバー本体背表紙と脱着するものである。【選択図】図１
2017100385.tif 000002
【特許請求の範囲】
【請求項１】
ブックカバー、ノートカバーに関し、端部が脱着式となっており、端部と本体背表紙部がマジックテープで脱着することにより、厚さ高さの違いに対応できるカバー。
【請求項２】
一枚の部材で出来ており、差し込み口を持つペン挿し付き見返し。
【発明の詳細な説明】
【技術分野】
【０００１】
本発明は、ノートカバー、ブックカバーに関する。
【背景技術】
【０００２】
従来から市販されている厚みが違う文庫本に対応するブックカバーはブックカバー外側を任意の位置で折り曲げることによって厚みの違いに対応していた。
しかしながら従来の方式では、折り曲げた部分の曲がりが安定せず、中の本がぐらぐらした状態のままで読書をすることになってしまっていた。
【０００３】
さらに、折り曲がり部を一旦折り曲げてしまうと、折り曲げ前の状態にも戻そうとしても、折り筋および部材の盛り上がりが発生してしまうため、折り曲げ前の状態には戻らず、美観や使い勝手を損ねていた。
【０００４】
また、既に折り曲げた箇所とは異なる箇所において、新たに折り曲げる場合において、既に折り曲げた箇所の折り筋および盛り上がりが残ったままとなってしまっており、使い勝手や美観を損なっていた。
【発明の概要】
【発明が解決しようとする課題】
【０００５】
本発明はこうした問題を鑑みて、本やノートの端でカバーを折り曲げる構造を廃し、厚さ、高さの違いに対応が可能な製品の形状が変化するカバーの提供を目的とする。
【課題を解決するための手段】
【０００６】
本発明は、カバー端を脱着式とし、背表紙部分とマジックテープでつなぐものである。
【発明の効果】
【０００７】
本発明は、本やノートの端の鋭角に折り曲がる部分が固定されており、頻繁に折り曲がり箇所を変える必要がないため、部材の強度を落とすことなく、見た目も美しい。
【０００８】
本発明により、厚さの違いのみならず、高さの違いにも対応できるカバーの作成が可能である。
【図面の簡単な説明】
【０００９】
【図１】発明した厚さの違いに対応できるカバーを外側から表した図。
【図２】発明した厚さと高さの違いに対応できるカバーを外側から表した図。
【図３】図３を内側から表した図。
【発明を実施するための形態】
【００１０】
次に図面を参照しながら実施例の説明を行う。本発明は以下の実施例に限定されるものではない。
【実施例】
【００１１】
図１は本発明によるカバーを外側から表したものである。部材Aは本やノートの背側となるものであり、部材A外側の左右両端にマジックテープを配置している。
部材B、Cは本やノートの表紙、裏表紙を差し込む部分である。
部材B、Cの外側内部において、部材Aのマジックテープが脱着出来る部位にマジックテープを配置する。
部材B、Cの差し込まれ具合を調整することにより、1cm程度の厚みの本やノートから、２千ページを超える本やノートなどにも対応出来るカバーとなる。
図３は左右の厚みの違いのみならず、上下の高さの違いにも対応出来るカバーを外側から表した図である。
構造は図１の構造に部材G、H、Iを追加し、配したマジックテープで脱着するものである。
A6ノートや文庫本、新書、ペーパーバック、単行本、A5などまで対応出来るカバーとなる。
部材Cはペン挿しとなる。
１枚の部材からなっており、
ペン差し部分からカバー内側に対して、切り込みを斜めに入れ、切り込みより上部を切り込み下部より短くすることにより、ペン差し部分のスペースが設けられるようになっている。
また、この切れ込みはしおりなどを入れることが出来るスペースともなっている。
【産業上の利用可能性】
【００１２】
本発明はブックカバー、ノートカバーに利用可能である。
【図１】
2017100385.tif 000003
【図２】
2017100385.tif 000004
【図３】
2017100385.tif 000005
(57)【要約】【課題】レアアース、レアメタルを混入したマグネットを利用せずに磁気をアップすることを目的としている。【解決手段】本発明は、マグネットの外側に、電荷を充電した充電体を接着して、マイナスの電子が移動することを利用して、磁気力を強くして磁気をアップすることを特徴とする。充電体を用いたマグネット方法。【選択図】図１
2017085070.tif 000002
【特許請求の範囲】
【請求項１】
マグネットに電荷を充電した充電体を接着してマイナスの電子が移動することを利用して磁気力を強くして磁気をアップすること特徴とする充電体を用いたマグネット方法。
【発明の詳細な説明】
【技術分野】
【０００１】本発明は、充電体を用いたマグネット方法に関し、詳しくは電荷を充電した充電体を接着し、放電子で磁気をアップさせる方法に関するものである。
【背景技術】
【０００２】従来、マグネットのＮ極とＳ極は接着し、Ｎ極とＮ極は反発することが知られている。
【発明の概要】
【発明が解決しようとする課題】
【０００３】そのために次のような問題があった。
従来のマグネットの場合は、レアアース、レアメタルを混入して、強磁気にしたマグネットがあった。
本発明は、このような課題に鑑みてなされたものであって、レアアース、レアメタルを混入したマグネットを利用せずに磁気をアップさせることを目的としている。
【課題を解決するための手段】
【０００４】前記した課題を解決するために本発明は、マグネットの外側に、電荷を充電した充電体を接着してプラスの電子移動で磁気をアップさせることを特徴とする。充電体を用いたマグネット方法。
【発明の効果】
【０００５】本発明によれば、従来のマグネットに電荷を充電した充電体を接着して磁気をアップさせることが可能になる。
【図面の簡単な説明】
【０００６】
【図１】本発明の一実施例を示す構成図である。
【発明を実施するための形態】
【０００７】以下、本発明の実施の形態について説明する。
図は、本発明の一実施例を示す構成図である。
図１において、
１はマグネットのＮ極（１）である。
２はマグネットのＳ極（２）である。
３は電荷を充電した充電体（３）である。
該電荷を充電したプラスの電子（６）を放電して、磁気力を上げて磁気力をアップさせる。
４はマグネットＮ極（１）の磁力線方向である。
５はマグネットＳ極（２）の磁力線方向である。
６は充電体（３）の放電子（６）するマイナス電子（６）である。以上説明したよに、本発明は以上のような構造である。
【符号の説明】
【０００８】１      マグネットＮ極
２      マグネットＳ極
３      充電体（硫黄等）
４      磁力線方向
５      磁力線方向
６      マイナス電子
【図１】
2017085070.tif 000003
(57)【要約】      （修正有）【課題】電力不足を解消する為。（火力発電、原発等々解消の為）【解決手段】火力発電、原発等々解消の為。分電盤からモーター⇒タービン⇒バッテリーへ送電する繰り返しの機械。あらかじめバッテリーに電気を充電させ、その電気を配電盤に送電し、配電盤からモータへ電気を送る。そのモータの動力で発電タービンを回転させ、その電気をバッテリーへ送電する。この動作を繰り返す。【選択図】図１
2017085862.tif 000002
【特許請求の範囲】
【請求項１】
図の通り、機種そのもの全体。
【発明の詳細な説明】
【技術分野】
【０００１】一般家庭において使用する発電機。
【発明の概要】
【発明が解決しようとする課題】
【０００２】電力不足を補う。
【課題を解決するための手段】
【０００３】この機種はとてもシンプルな機種です。
あらかじめバッテリーに電気を充電させ、その電気を配電板に送電し配電板からモーターへ電気を送る。そのモーターの動力で発電タービンを回転させ、その電気をバッテリーへ送電する。配電板からモーターへ送電する。その繰り返しです。
この機種の能力を説明しますと、１時間に１キロワット電力を使用すると２．５ワット〜４．５ワット前後の電気を生み出す事ができます。
この機種の能力は大小自在です。図で示してありますのは一般家庭向きです。防音と機種保護の為にボックスでコンパクトに収納します。
この機種の運転切り替えはすべてオートマチックです。
【図１】
2017085862.tif 000003
【手続補正書】
【提出日】平成28年1月7日(2016.1.7)
【手続補正２】
【補正対象書類名】明細書
【補正対象項目名】全文
【補正方法】変更
【補正の内容】
【発明の詳細な説明】
【技術分野】
【０００１】一般家庭において使用する発電機。
【発明の概要】
【発明が解決しようとする課題】
【０００２】電力不足を補う。
【課題を解決するための手段】
【０００３】この機種はとてもシンプルな機種です。
あらかじめバッテリーに電気を充電させ、その電気を配電板に送電し配電板からモーターへ電気を送る。そのモーターの動力で発電タービンを回転させ、その電気をバッテリーへ送電する。配電板からモーターへ送電する。その繰り返しです。
この機種の能力を説明しますと、１時間に１キロワット電力を使用すると２．５ワット〜４．５ワット前後の電気を生み出す事ができます。
この機種の能力は大小自在です。図で示してありますのは一般家庭向きです。防音と機種保護の為にボックスでコンパクトに収納します。
この機種の運転切り替えはすべてオートマチックです。
【図面の簡単な説明】
【０００４】
【図１】平面図